(57)【要約】【課題】  窓ガラスの表面に接触しつつ移動するワイパーブレードが、桟（無目及び方立）に近い領域で窓ガラスの表面から離れるのを防止し、それにより無目ぎわまで確実にクリーニングできると共に、水ダレも防止し得るように構成した窓ガラス外面洗浄装置を提供する。【解決手段】  ワイパーハウジング（１２）に対するワイパーブレード（１４）の取付け位置を、当該ワイパーブレード（１４）のガラス面（２）と直交する中心面Ｗが、ガイドローラ（５６）の中心軸を通りガラス面（２）と直交する平面Ｐから適宜の距離（ｄ）隔てられるよう配置することにより、台車機構（１９）の移動時に、ワイパーブレード（１４）が無目（５）又は方立（４）に乗り上げるまでは、ガイドローラー（５６）が無目又は方立に接触しないように構成したことを特徴とする。【選択図】  図２
2005261829.tif 000002
【特許請求の範囲】
【請求項１】
建物（１）の外面（３）に対向するよう設置される窓ガラス外面洗浄装置であって、
洗浄すべき窓ガラス（２）の外面に対向するよう縦横何れか一方の桟（４又は５）に沿って配置される案内レールユニット（６）と、
駆動モータ（４５）により上記案内レールユニット（６）に沿って移動せしめられる少なくとも１個の台車機構（１９）と、
窓ガラス（２）の表面に向けて洗浄液を噴射する複数のスプレーノズル（３１）を備えた洗浄液ライン（４６）と、
窓ガラス（２）の表面に接触するワイパーブレード（１４）が取り付けられたワイパーハウジング（１２）であって、上記台車機構（１９）上に搭載され、ガイドローラ（５６）によって、上記一方の桟（４又は５）に沿って案内されるワイパーハウジング（１２）と、
を備えた窓ガラス外面洗浄装置において；
上記ワイパーハウジング（１２）に対するワイパーブレード（１４）の取付け位置を、当該ワイパーブレード（１４）のガラス面（２）と直交する中心面Ｗが、前記ガイドローラ（５６）の中心軸を通りガラス面（２）と直交する平面Ｐから適宜の距離（ｄ）隔てられるよう配置することにより、台車機構（１９）が上記一方の桟（４又は５）に沿って移動する時に、ワイパーブレード（１４）が、他の一方の桟（５又は４）に乗り上げるまでは、ガイドローラー（５６）が当該他の一方の桟（５又は４）に接触しないよう構成したこと；
を特徴とする上記の建物の窓ガラス外面洗浄装置。
【請求項２】
案内レールユニットが（６）鉛直方向に設けられ、
ワイパーブレード（１４）が上記平面Ｐの上方に設けられた請求項１に記載の建物の窓ガラス外面洗浄装置。
【請求項３】
案内レールユニットが（６）鉛直方向に設けられ、
ワイパーブレード（１４）が上記平面Ｐの下方に設けられた請求項１に記載の建物の窓ガラス外面洗浄装置。
【請求項４】
案内レールユニットが（６）鉛直方向に設けられ、
ワイパーブレード（１４Ａ，１４Ｂ）が上記平面Ｐの上方及び下方に設けられた請求項１に記載の建物の窓ガラス外面洗浄装置。
【発明の詳細な説明】
【技術分野】
【０００１】
本発明は、建物の窓ガラス外面洗浄装置に関し、特に、特表２００３−５１６７９２号公報において開示されている自動洗浄装置の改良に関するものである。
より具体的には、隣接する窓ガラス間の境目に設けられる縦向き又は横向きの桟［横向きの桟を一般に「無目（むめ）」と称し、縦向きの桟を一般に「方立（ほうだて）」と称する。］の位置までガラスを確実に洗浄できると共に、「無目」ぎわ部分からの水ダレ（水垂れ）を防止し得るように構成した窓ガラス外面の自動洗浄装置に関するものである。
【背景技術】
【０００２】
窓ガラスの外面を自動的に洗浄する装置は、これまでにも多く提案されており、その一例として下記特許文献１に記載のものを挙げることができる。
【０００３】
【特許文献１】特表２００３−５１６７９２号公報（特願２００１−５４４５５９）
【０００４】
上記特許文献１において開示されている洗浄装置の概要を図３及び図４を参照しつつ説明する。
当該洗浄装置は、図３に示す如く、建物１の外面３に対向するよう設置され、大別して、洗浄すべき窓ガラス２の外面に対向するよう配置される縦方向又は横方向に延びる案内レールユニット６と、駆動モータ４５により上記案内レールユニット６に沿って移動せしめられる少なくとも１個の台車機構１９と、窓ガラス２の表面に向けて洗浄液を噴射する複数のスプレーノズル３１を備えた洗浄液ライン４６と、窓ガラス２の表面に接触するワイパーブレード１４（図４）が取り付けられたワイパーハウジング１２（図４）であって、上記台車機構１９上に搭載され、ガイドローラ５６（図４）によって、隣接する窓ガラスの辺縁同士を互いに連結する縦の桟（方立）４又は横の桟（無目）５に沿って案内されるワイパーハウジング１２（図４）と、から構成されている。
【０００５】
ここで、台車機構１９が縦の桟（方立）４に沿って昇降する場合について説明すれば、台車機構１９は、駆動モータ４５によって回転せしめられる上側のスプロケット４２と、回転自在な下側のスプロケット４３との間に巻き掛けられたチェーンベルトもしくは歯形付きベルトに取り付けられ、駆動モータ４５を正逆回転させることにより台車機構１９が案内レールユニット６に沿って矢符１１で示す如く昇降するようになっている。
台車機構１９には、窓ガラスの外面に接触してこれを洗浄するワイパーブレード１４（図４）を取り付けたワイパーハウジング１２（図４）を備えたワイパーユニット１０が搭載されている。
窓ガラスの洗浄時には、バルブ４７を開き、スプレーノズル３１から水を窓ガラス２に噴き付けながら、台車機構１９を昇降させることにより、ワイパーブレード１４によって窓ガラス２の表面上で摺動させることにより、窓ガラスの表面が洗浄されるものである。
【０００６】
上記の如き特表２００３−５１６７９２号公報に記載の洗浄装置の問題点を、図４を参照しつつ、以下に説明する。なお、台車機構１９を方立４に沿って縦方向（上下方向）に移動させながら洗浄する場合と、無目５に沿って横方向（左右方向）に移動させながら洗浄する場合とがあり、ここでは、方立４に沿って縦方向に移動させながら洗浄する場合について説明するが、横方向に移動させながら洗浄する場合においても同様の問題がある。
前記のようにワイパーブレード１４が窓ガラス２の表面に接触した状態で上下動して窓ガラス２の表面を洗浄する際、台車機構１９及びワイパーハウジング１２は、ガイドローラ５６によって前記方立４に沿って案内されるものであるが、台車機構１９が上下動するときガイドローラ５６が無目５を乗り越えることになる。その際、ワイパーハウジング１２に対するワイパーブレード１４の取付け位置が、従来のものは、当該ワイパーブレード１４のガラス面２と直交する中心面Ｗが、前記ガイドローラ５６の中心軸を通りガラス面２と直交する平面Ｐとほぼ同一平面上になるように配置されているため、ワイパーブレード１４の先端がガラス面２に接触した状態で無目５に向けて移動してくるとき、ワイパーブレード１４の先端が無目５の下縁又は上縁に達する以前の段階で、ガイドローラ５６の平面Ｐより先行する周面が無目５に乗り上げ、ワイパーハウジング１２全体がガラス面から遠ざかる方向へ移動することになる。そのため、ワイパーブレード１４の先端はガラス面から離れて浮き上がり（その軌跡を、破線ｓで示す。）、無目５の下縁及び上縁の近くの一定幅のガラス表面領域（図４中、ｍで示す。）が拭けない部分となって汚れたまま残り、また当該領域の水をぬぐい取ることができず、水ダレの原因となっていた。そのようにして垂れる水の中には、無目ぎわ領域のガラス表面に付着していた汚れの粒子も含まれているため、乾燥後のガラス表面に水ダレの跡が残ることも多かった。
このような問題が生じる原因は、従来の洗浄装置では、ワイパーブレード１４が無目５に達するよりも前に、ガイドローラー５６が無目に乗り上げてしまい、ワイパーブレード１４が無目ぎわでガラス表面から離れてしまうことにある。
同様に、台車機構１９を無目５に沿って横方向に移動させながら洗浄する場合には、方立４の左右の一定幅のガラス表面領域が拭けない部分となって汚れたまま残る結果となる。
【発明の開示】
【発明が解決しようとする課題】
【０００７】
本発明は、上記の問題点を解決するためなされたものであり、その目的とするところは、窓ガラスの表面に接触しつつ移動するワイパーブレードが、桟（無目及び方立）に近い領域で窓ガラスの表面から離れるのを防止し、それにより無目ぎわ及び方立ぎわまで確実にクリーニングできると共に、水ダレも防止し得るように構成した窓ガラス外面洗浄装置を提供することにある。
【課題を解決するための手段】
【０００８】
上記の目的は、
建物の外面に対向するよう設置される窓ガラス外面洗浄装置であって、
洗浄すべき窓ガラスの外面に対向するよう縦横何れか一方の桟に沿って配置される案内レールユニットと、
駆動モータにより上記案内レールユニットに沿って移動せしめられる少なくとも１個の台車機構と、
窓ガラスの表面に向けて洗浄液を噴射する複数のスプレーノズルを備えた洗浄液ラインと、
窓ガラスの表面に接触するワイパーブレードが取り付けられたワイパーハウジングであって、上記台車機構上に搭載され、ガイドローラによって、上記一方の桟に沿って案内されるワイパーハウジングと、
を備えた窓ガラス外面洗浄装置において；
上記ワイパーハウジングに対するワイパーブレードの取付け位置を、当該ワイパーブレードのガラス面と直交する中心面Ｗが、前記ガイドローラの中心軸を通りガラス面と直交する平面Ｐから適宜の距離隔てられるよう配置することにより、台車機構が上記一方の桟に沿って移動する時に、ワイパーブレードが、他の一方の桟に乗り上げるまでは、ガイドローラーが当該他の一方の桟に接触しないよう構成したこと；
を特徴とする上記の建物の窓ガラス外面洗浄装置によって達成し得る。
案内レールユニットが鉛直方向に設けられた場合において、ワイパーブレードは、上記平面Ｐの上方又は下方のいずれか一方に設けてもよいが、望ましくは双方に設けることが推奨される。
【発明の効果】
【０００９】
上記の如き構成であると、台車機構の移動時に、ワイパーブレードが、無目又は方立に乗り上げるまでは、ガイドローラーが無目又は方立に接触しないため、ワイパーブレードの先端は無目又は方立の辺縁部まで確実に到達でき、ガラス表面に不払拭領域が生じることがないので、無目ぎわ又は方立ぎわまで確実に洗浄できると共に、水ダレも効果的に防止できるものである。
【発明を実施するための最良の形態】
【００１０】
以下、図面に示す実施例を参照しつつ、本発明を実施するための最良の形態について説明する。
【実施例】
【００１１】
図１は、本発明に係る窓ガラス外面洗浄装置のワイパーブレードの取付け部分の一実施例とその作用を示す断面図、図２は、もう一つの実施例を示す断面図である。図1及び図2には、台車機構１９を縦方向に移動させながら洗浄する場合の様子が描かれている。
なお、本発明は、ワイパーハウジングに対するワイパーブレードの配置に特徴を有するものであり、その他の全体的な構成は、図３で説明した特許文献１に記載の洗浄装置のそれを採用できる。
先ず、図１に示した実施例について説明する。
図１中、２は窓ガラス、５は無目、１２はワイパーハウジング、１４はワイパーブレード、１５はワイパーホルダ、５６はガイドローラ、５６０はその中心軸、Ｐは、ガイドローラ５６の中心軸５６０を通りガラス面２と直交する平面、Ｗは、ワイパーブレード１４のガラス面２と直交する中心面である。
【００１２】
この実施例では、ワイパーハウジング１２に取り付けられるワイパーブレード１４の取付け位置が、図４に示した従来のものと異なっている。即ち、ワイパーブレード１４のガラス面２と直交する中心面Ｗが、前記ガイドローラ５６の中心軸５６０を通りガラス面２と直交する平面Ｐよりも上側に距離ｄだけ隔てられた位置となるように取り付けられている。そうすることにより、前記台車機構１９の昇降時に、ワイパーブレード１４が、無目５に乗り上げるまでは、ガイドローラー５６が無目に接触しないようになっている。
即ち、図１に示すように、ワイパーハウジング１２が下から上昇してきて、ガイドローラ５６の中心軸５６０が高さｈ１の位置に達したとき、ガイドローラー５６が無目５に接触する前に、ワイパーブレード１４が無目５に接触し、乗り上げるようになっている。ワイパーブレード１４は、その上昇過程において、無目５に接触するまではガラス２の表面との接触状態を保っており、図４に示した従来のもののようにガラス面から浮き上がることがない。
そのため、無目５の下縁近くの領域に未洗浄部分が生じることがなく、無目ぎわまで確実にクリーニングすることが可能となる。従ってまた、無目５の下縁近くのガラス表面領域に水が残ることもなく、水ダレを確実に防止できる。
上記ｄの値は、無目５の外周面の形状、ガイドローラ５６の半径等に応じて定められる。
【００１３】
台車機構が更に上昇すると、ワイパーブレード１４の先端は無目５の表面をなぞりながら上昇する。ワイパーブレード１４の先端が無目５の頂部に達し、その後しばらく上昇すると、無目５の表面から浮き上がって離れ、軌跡ｔに沿って移動して、ガイドローラ５６の中心が高さｈ５に達した時点で再びガラス２の表面に接触する。そのため、無目５の上縁から所定幅の領域ｎが未洗浄部分として残されることになる。
このように、ワイパーブレード１４をガイドローラ５６の中心軸を通る平面Ｐよりも上側に設けることによって、少なくとも無目５の下側は完全にクリーニングされるようになる。
【００１４】
無目５の上側についても完全にクリーニングされるようにするには、図２に示す如く、平面Ｐの上方及び下方にそれぞれ距離ｄだけ離れた位置にワイパーブレード１４Ａ及び１４Ｂを設けるようにするとよい。そうすることにより、無目５の下側のガラス面については、上側のワイパーブレード１４Ａによって無目ぎわまで完全にクリーニングされ、他方、無目５の上側のガラス面については、前記と同様の理由により、下側のワイパーブレード１４Ｂによって無目ぎわまで完全にクリーニングされるものである。
図２では、図面の煩雑化を避けるため、上側のワイパーブレード１４Ａの移動経路だけが描かれているが、下側のワイパーブレード１４Ｂの移動経路は、無目５の横方向中心面を対称面として上側のワイパーブレード１４Ａの移動経路と対称であるので、下側のワイパーブレード１４Ｂによって無目５の上側のガラス面が無目ぎわまで完全にクリーニングされることは、容易に理解できよう。
【００１５】
なお、本発明は上記の実施例に限定されるものではなく、台車機構を横方向に移動させながら洗浄する場合にも適用可能であり、また、図示した例においては、無目（又は方立）の断面が円弧状のものについて説明したが、断面が台形状（角状）の無目（又は方立）に対しても本発明は有効に機能し得るものであり、従って本発明は、その目的の範囲内において、上記の説明から当業者が容易に想到し得るすべての変更実施例を包摂するものである。
【産業上の利用可能性】
【００１６】
本発明は上記の如く構成されるから、ワイパーブレードが、無目又は方立に近い領域で窓ガラスの表面から離れるのが防止され、それにより無目ぎわ又は方立ぎわまで確実にクリーニングできると共に、水ダレも効果的に防止し得る窓ガラス外面洗浄装置を提供し得るものである。
【図面の簡単な説明】
【００１７】
【図１】本発明に係る窓ガラス外面洗浄装置のワイパーブレードの取付け部分の一実施例とその作用を示す断面図である。
【図２】本発明に係る窓ガラス外面洗浄装置のもう一つの実施例を示す断面図である。
【図３】窓ガラス外面洗浄装置の全体構成を示す説明図である。
【図４】従来公知の窓ガラス外面洗浄装置のワイパーブレードの取付け部分とその作用を示す断面図である。
【符号の説明】
【００１８】
１      建物
２      窓ガラス
３      建物の外面
４      方立
５      無目
６      案内レールユニット
１０    ワイパーユニット
１２    ワイパーハウジング
１４，１４Ａ，１４Ｂ    ワイパーブレード
１５    ワイパーホルダ
１９    台車機構
３１    スプレーノズル
４２    スプロケット
４３    スプロケット
４５    駆動モータ
４６    洗浄液ライン
４７    バルブ
５６    ガイドローラ
５６０  ガイドローラの中心軸
Ｐ      ガイドローラ５６の中心軸を通りガラス面２と直交する平面
Ｗ      ワイパーブレード１４のガラス面２と直交する中心面
【図１】
2005261829.tif 000003
【図２】
2005261829.tif 000004
【図３】
2005261829.tif 000005
【図４】
2005261829.tif 000006